(57)【要約】【課題】供給電圧のレベルが変化しても、安定器に過大な電圧が印加されるのを有効に防止できるようにすること。【解決手段】入力側に複数の入力端子２Ａ，２Ｂを有する放電灯３のための安定器２を具えた集魚灯用安定装置１において、集魚灯用安定装置１への供給電圧のレベルを検出するための電圧センサ７と、供給電圧を複数の入力端子２Ａ，２Ｂのいずれか１つに接続できるように接続切換するための主リレー５とを設け、電圧センサ７の出力に従って補助リレー６を制御し、複数の入力端子２Ａ，２Ｂのうち供給電圧のレベルに応じた入力端子に供給電圧を印加するようにした。供給電圧のレベルが変化しても、これに追随して、安定器２の入力端子のうち供給電圧のレベルに応じた入力端子に供給電圧を印加することができるので、安定器２に過大な電圧が印加されるのを有効に防止できる。【選択図】図１
2006059666.tif 000002
【特許請求の範囲】
【請求項１】
入力側に入力電圧に応じた複数の入力端子を有する放電灯のための安定器を具えた集魚灯用安定装置において、前記集魚灯用安定装置への供給電圧のレベルを検出するための電圧センサと、前記供給電圧を前記複数の入力端子のいずれか１つに接続できるように接続切換するための主リレーとを有し、前記センサの出力に従って前記主リレーを制御し、前記複数の入力端子のうち前記供給電圧のレベルに応じた入力端子に前記供給電圧を印加するようにしたことを特徴とする集魚灯用安定装置。
【発明の詳細な説明】
【技術分野】
【０００１】
本発明は、集魚灯用安定装置に関するものである。
【背景技術】
【０００２】
イカやサバ、サンマなどの魚を捕獲する漁船においては、集魚灯として白熱灯や放電灯を使用している。大型船の場合は電源としての発電機を主機及び補機として２つ備えているので、白熱灯と放電灯とを別回路にして使い分けることができるが、小型船はスペースの関係で発電機を主機しか搭載していない場合が殆どである。
【０００３】
このため、小型船の場合、集魚灯として白熱灯と放電灯の両方を使用するには、主機の出力に白熱灯と放電灯とを並列に接続する必要がある。
【発明の開示】
【発明が解決しようとする課題】
【０００４】
ところで、白熱灯の明るさの調節は、一般に、発電機の電圧を大幅に可変させることで対処しているため、白熱灯に放電灯を並列接続する場合には、この電圧変化に対応できる安定器が必要となる。このため、従来の安定器は、安定器に印加される電圧が変化してもこれに対応できるようにするため、安定器の入力側に低圧入力端子と高圧入力端子とを設けておき、入力電圧のレベルに応じて端子台でこれらの入力端子の切換設定を行う構成となっている。
【０００５】
しかし、発電機の出力レベルの変化を頻繁に行うような場合には、その都度端子台での切換動作を行うことが困難である。この結果、白熱灯を放電灯と併設して使用する場合、安定器に過大な電圧が印加され、焼損事故を引き起こすという虞があった。
【０００６】
このため、主機のみに頼る小型船では白熱灯に比べ照度効率の高い放電灯を使用することが安全上の理由から困難であり、集魚効率が悪いという問題点を有していた。
【０００７】
本発明の目的は、したがって、従来技術における上述の問題点を解決することができる、集魚灯用安定装置を供給することにある。
【課題を解決するための手段】
【０００８】
上記課題を解決するため、本発明によれば、入力側に入力電圧に応じた複数の入力端子を有する放電灯のための安定器を具えた集魚灯用安定装置において、前記集魚灯用安定装置への供給電圧のレベルを検出するための電圧センサと、前記供給電圧を前記複数の入力端子のいずれか１つに接続できるように接続切換するための主リレーとを有し、前記電圧センサの出力に従って前記主リレーを制御し、前記複数の入力端子のうち前記供給電圧のレベルに応じた入力端子に前記供給電圧を印加するようにしたことを特徴とする集魚灯用安定装置が提案される。
【発明の効果】
【０００９】
本発明によれば、供給電圧のレベルが変化しても、これに追随して、安定器の複数の入力端子のうち供給電圧のレベルに応じた入力端子に供給電圧を印加することができるので、白熱灯を併設した場合であっても、安定器に過大な電圧が印加されるのを有効に防止することができる。
【発明を実施するための最良の形態】
【００１０】
以下、図面を参照して本発明の実施の形態の一例につき詳細に説明する。
【００１１】
図１は、本発明による集魚灯用安定装置の実施の形態の一例を示す回路図である。集魚灯用安定装置１において、２は安定器、３は放電灯で、受電端子Ｔ１、Ｔ２に印加される図示しない発電機からの出力電圧が安定器２を介して放電灯３に供給され、放電灯３が発光する構成と成っている。受電端子Ｔ１−Ｔ２間にはまた、白熱灯４が接続されており、白熱灯４には発電機からの出力電圧が直接印加される構成と成っている。
【００１２】
安定器２は、高圧入力端子２Ａと低圧入力端子２Ｂとを備えており、受電端子Ｔ１は主リレー５によって高圧入力端子２Ａまたは低圧入力端子２Ｂのいずれかに接続される構成となっている。
【００１３】
すなわち、主リレー５はリレーコイル５Ａとリレースイッチ５Ｂとから成り、リレースイッチ５Ｂの接点ａ、ｂには高圧入力端子２Ａ、低圧入力端子２Ｂが各々接続され、リレースイッチ５Ｂの切換片Ｃには配線Ｌ１を介して受電端子Ｔ１が接続されている。
【００１４】
リレーコイル５Ａの一端は受電端子Ｔ２に接続されており、その他端は補助リレー６のリレースイッチ６Ｂを介して接点ｂ、すなわち低圧入力端子２Ｂに接続されている。
【００１５】
符号７で示されるのは、受電端子Ｔ１、Ｔ２間に供給される供給電圧のレベルを検出するための電圧センサであり、電圧センサ７によって供給電圧のレベルが設定値より高いか低いかが判別される構成となっている。
【００１６】
電圧センサ７の出力側には補助リレー６のリレーコイル６Ａが接続されており、電圧センサ７によって供給電圧のレベルが設定値より低くなった場合に、電圧センサ７はリレーコイル６Ａに電流を流し、リレースイッチ６Ｂを閉じる構成となっている。
【００１７】
集魚灯用安定装置１は以上のように構成されているので、受電端子Ｔ１、Ｔ２間に供給される電圧が定格電圧であると、電圧センサ７によって供給電圧のレベルが設定値より高くなっていると判別され、電圧センサ７はリレーコイル６Ａに電流を流さないので、リレースイッチ６Ｂは開状態となる。このため、リレーコイル５Ａに励磁電流が流れないので、リレースイッチ５Ｂは図示の如く切り換えられており、供給電圧は高圧入力端子２Ａに印加される。したがって、放電灯３には予定した電圧が印加される。
【００１８】
一方、受電端子Ｔ１、Ｔ２間に供給される供給電圧が低下し、設定値より低くなっていると判別されると、電圧センサ７はリレーコイル６Ａに電流を流すので、リレースイッチ６Ｂは閉状態となる。このため、リレーコイル５Ａに励磁電流が流れ、リレースイッチ５Ｂは図中点線で示されるように切り換えられ、供給電圧は低圧入力端子２Ｂに印加される。したがって、放電灯３には、供給電圧が低下したにも拘らず予定した電圧が印加される。
【００１９】
このようにして、受電端子Ｔ１、Ｔ２間に供給される供給電圧のレベル変化にしたがって自動的に安定器２の入力側での端子接続の切り換えが行われるので、白熱灯４の明るさの調節を図示しない発電機の電圧を大幅に可変させることで対処しても、安定器２に過大な電圧が印加されないようほぼ安定器の定格範囲内に電圧を自動的にコントロールすることができる。
【００２０】
この結果、放電灯３には、大幅な供給電圧の変動に対してもある一定範囲内での電力供給が可能となり、同一使用回路に白熱灯４が混在してその電圧を大幅に可変させても、安定器２には過大電圧による焼損や放電灯３の過電流による破損や寿命に影響を与えることがなく使用することができる。
【００２１】
以上、一実施の形態を説明したが、本発明はこの一実施の形態に限定されるものではない。例えば、リレースイッチ６Ｂに代えて、サイリスタホトカップラを使用しても良いし、本装置を複数個使用して細かく段切り換えすることもできる。
【図面の簡単な説明】
【００２２】
【図１】本発明の実施形態の一例を示す回路図。
【符号の説明】
【００２３】
１    集魚灯用安定装置
２    安定器
２Ａ  高圧入力端子
２Ｂ  低圧入力端子
３    放電灯
４    白熱灯
５    主リレー
５Ａ  リレーコイル
５Ｂ  リレースイッチ
６    補助リレー
６Ｂ  リレースイッチ
７    電圧センサ
Ｔ１、Ｔ２  受電端子
【図１】
2006059666.tif 000003